(57)【特許請求の範囲】
【請求項１】
通信ケーブルと、
上記通信ケーブルを覆う第１導電性被覆層と、
上記第１導電性被覆層を覆う第２導電性被覆層と、
上記第１導電性被覆層と第２導電性被覆層との間に位置し、第１導電性被覆層と第２導電性被覆層とを絶縁するための絶縁層と、
上記通信ケーブルの一端に設けられ、上記第１導電性被覆層と第２導電性被覆層との間で直列接続されるように配置された抵抗器を有する第１コネクタ部と、
上記通信ケーブルの他端に設けられ、上記第１導電性被覆層と上記第２導電性被覆層との短絡による異常を検出する検出部を有する第２コネクタ部とを備え、
上記検出部は、上記第１導電性被覆層および第２導電性被覆層の一方に所定電圧を印加し、上記第１導電性被覆層および第２導電性被覆層の他方の電圧である検出用電圧に基づいて、上記短絡による異常を検出することを特徴とするワイヤハーネス。
【請求項２】
上記通信ケーブルが複数本あり、そのうちの一本の通信ケーブルは、上記ワイヤハーネスが接続される一方の外部機器から他方の外部機器に電力供給するためのものであり、
上記検出部は、上記電力供給のための通信ケーブルから電力を受けて動作することを特徴とする請求項１に記載のワイヤハーネス。
【請求項３】
上記検出部は、さらに、上記検出用電圧に基づいて、上記第１導電性被覆層および第２導電性被覆層の少なくとも一方の切断による異常を検出することを特徴とする請求項１または２に記載のワイヤハーネス。
【請求項４】
上記検出部により異常が検出された場合に、外部機器に対して異常通知を行う異常出力制御部を備えることを特徴とする請求項１から３の何れか１項に記載のワイヤハーネス。
【請求項５】
上記異常出力制御部は、上記通信ケーブルの少なくとも１つの通信を遮断することにより上記異常通知を行うことを特徴とする請求項４に記載のワイヤハーネス。
【請求項６】
上記検出部は、上記検出用電圧と第１基準電圧とを比較する第１電圧比較器を備えており、
上記第１基準電圧として、上記所定電圧と、当該所定電圧から上記抵抗器の電圧降下分だけ低い電圧との間の電圧が設定されており、
上記検出部は、上記第１電圧比較器により検出用電圧が第１基準電圧よりも高いと判定されたときに、上記短絡があったものと判断することを特徴とする請求項１から５の何れか１項に記載のワイヤハーネス。
【請求項７】
上記検出部は、上記検出用電圧と第２基準電圧とを比較する第２電圧比較器を備えており、
上記第２基準電圧として、上記所定電圧から上記抵抗器の電圧降下分だけ低い電圧よりもさらに低い電圧が設定されており、
上記検出部は、上記第２電圧比較器により検出用電圧が第２基準電圧よりも低いと判定されたときに、上記切断があったものと判断することを特徴とする請求項３に記載のワイヤハーネス。
【発明の詳細な説明】
【技術分野】
【０００１】
本発明は、外部機器に接続され、外部機器間の情報通信に利用されるワイヤハーネスに関するものである。
【背景技術】
【０００２】
近年、情報通信技術の発展に伴い、各種の機器がワイヤハーネスを用いて通信接続されている。このようなワイヤハーネスで通信される情報の中には一定の価値を有するものも含まれている。そのため、ワイヤハーネスを許可なく細工して、通信される情報の書き換えや不正な情報の発信を行うことにより、上記の一定の価値が不正に取得されることがあり得る。
【０００３】
例えば、パチンコホールでは遊技機（パチンコ機）と台間機とがワイヤハーネスにより接続されている。そして、遊技球数や金銭価値を示す情報が記憶されたカードを台間機に挿入することにより、台間機から遊技機に通信された情報に基づいて遊技が実施される。また、最近、特許文献１に記載のような、遊技機内に所定数の球を封入し、封入されている球（封入球）を循環利用する封入式遊技機（封入式パチンコ機）が開発されている。封入式遊技機では、遊技によって獲得した球数を示す情報を遊技機から台間機に送信し当該情報をカードに記録することで、遊技者は、当該カードを用いて獲得した球数を精算し、景品を得るようになっている。このように、遊技機と台間機とを接続するワイヤハーネスでは、一定の価値を有する球数を示す情報が通信される。そのため、ワイヤハーネスを細工して遊技球や金銭価値を示す情報を不正に変更する不正行為が問題となる。
【０００４】
そこで、特許文献２には、ワイヤハーネス側のコネクタが接続される遊技機側のコネクタに押圧スイッチを設け、当該押圧スイッチのオン／オフを検出することによりワイヤハーネスが正常に接続されているか否かを検知する技術が開示されている。これにより、ワイヤハーネスが不正に交換されてしまうことを防止している。
【先行技術文献】
【特許文献】
【０００５】
【特許文献１】特開２００９−１０１２２４号公報（２００９年５月１４日公開）
【特許文献２】特開２００８−３６３１９号公報（２００８年２月２１日公開）
【発明の概要】
【発明が解決しようとする課題】
【０００６】
しかしながら、特許文献２の技術では、ワイヤハーネスを遊技機に接続した状態でケーブルの途中に不正部品などを取り付けるような不正行為については検出できない。
【０００７】
本発明は、上記課題を解決するためになされたものであり、ケーブルに対する不正行為を容易に検出することが可能なワイヤハーネスを提供することを目的とする。
【課題を解決するための手段】
【０００８】
上記の課題を解決するために、本発明のワイヤハーネスは、通信ケーブルと、上記通信ケーブルを覆う第１導電性被覆層と、上記第１導電性被覆層を覆う第２導電性被覆層と、上記第１導電性被覆層と第２導電性被覆層との間に位置し、第１導電性被覆層と第２導電性被覆層とを絶縁するための絶縁層と、上記通信ケーブルの一端に設けられ、上記第１導電性被覆層と第２導電性被覆層との間で直列接続されるように配置された抵抗器を有する第１コネクタ部と、上記通信ケーブルの他端に設けられ、上記第１導電性被覆層と上記第２導電性被覆層との短絡による異常を検出する検出部を有する第２コネクタ部とを備え、上記検出部は、上記第１導電性被覆層および第２導電性被覆層の一方に所定電圧を印加し、上記第１導電性被覆層および第２導電性被覆層の他方の電圧である検出用電圧に基づいて、上記短絡による異常を検出することを特徴とする。
【０００９】
例えば、金属製の不正治具をワイヤハーネスに差し込み、内部の通信ケーブルに対して何らかの不正を行った場合、不正治具によって第１導電性被覆層と第２導電性被覆層とが短絡することとなる。上記の構成によれば、第１導電性被覆層と第２導電性被覆層とが短絡していない場合には、検出用電圧は、所定電圧から抵抗器による電圧降下の分だけ低い電圧となる。一方、第１導電性被覆層と第２導電性被覆層とが短絡している場合には、検出用電圧は所定電圧と同じになる。そのため、検出用電圧を確認することで、容易に第１導電性被覆層と第２導電性被覆層との短絡の有無を確認することができる。
【００１０】
以上から、ケーブルに対する不正行為を容易に検出することが可能なワイヤハーネスを提供することができる。
【００１１】
例えば、上記検出部は、上記検出用電圧と第１基準電圧とを比較する第１電圧比較器を備えており、上記第１基準電圧として、上記所定電圧と、当該所定電圧から上記抵抗器の電圧降下分だけ低い電圧との間の電圧が設定されており、上記検出部は、上記第１電圧比較器により検出用電圧が第１基準電圧よりも高いと判定されたときに、上記短絡があったものと判断すればよい。
【００１２】
また、本発明のワイヤハーネスにおいて、上記通信ケーブルが複数本あり、そのうちの一本の通信ケーブルは、上記ワイヤハーネスが接続される一方の外部機器から他方の外部機器に電力供給するためのものであり、上記検出部は、上記電力供給のための通信ケーブルから電力を受けて動作することが好ましい。
【００１３】
上記の構成によれば、検出部を動作させるための専用の電源線を設ける必要がなく、ワイヤハーネスの構成を簡略化できる。
【００１４】
また、本発明のワイヤハーネスにおいて、上記検出部は、さらに、上記検出用電圧に基づいて、上記第１導電性被覆層および第２導電性被覆層の少なくとも一方の切断による異常を検出することが好ましい。
【００１５】
ワイヤハーネスに対する不正行為として、第１導電性被覆層および第２導電性被覆層の少なくとも一方を切断したり、ワイヤハーネスを通信ケーブルごと切断したりして、内部の通信ケーブルに何らかの細工を行うことが考えられる。しかしながら、第１導電性被覆層および第２導電性被覆層の少なくとも一方が切断された場合、検出用電圧はほぼ０となる。そのため、検出用電圧を確認することで、このような第１導電性被覆層および第２導電性被覆層の少なくとも一方を切断する不正行為を検出することができる。
【００１６】
例えば、上記検出部は、上記検出用電圧と第２基準電圧とを比較する第２電圧比較器を備えており、上記第２基準電圧として、上記所定電圧から上記抵抗器の電圧降下分だけ低い電圧よりもさらに低い電圧が設定されており、上記検出部は、上記第２電圧比較器により検出用電圧が第２基準電圧よりも低いと判定されたときに、上記切断があったものと判断すればよい。
【００１７】
さらに、本発明のワイヤハーネスは、上記検出部により異常が検出された場合に、外部機器に対して異常通知を行う異常出力制御部を備えることが好ましい。
【００１８】
上記の構成によれば、検出部により異常が検出された場合に外部機器に電源が供給されていると、当該外部機器は、即座にワイヤハーネスの異常を認識することができる。
【００１９】
なお、上記異常出力制御部は、上記通信ケーブルの少なくとも１つの通信を遮断することにより上記異常通知を行ってもよい。
【発明の効果】
【００２０】
以上のように、本発明によれば、ケーブルに対する不正行為を容易に検出することが可能なワイヤハーネスを提供することができる。
【図面の簡単な説明】
【００２１】
【図１】本発明の一実施形態に係るワイヤハーネスに対する不正行為（異常）を検出する異常検出システムの概略構成を示したブロック図である。
【図２】図１に示す異常検出システムが備える遊技機および台間機の裏面図である。
【図３】図２に示す遊技機および台間機の正面図である。
【図４】実施形態１に係るワイヤハーネスの外観を示す図である。
【図５】図４に示すワイヤハーネスが備えるケーブル部の内部を示す図であり、（ａ）は内部層を示す斜視図であり、（ｂ）はケーブル部の端面を示す図である。
【図６】図４に示すワイヤハーネスが備える第１コネクタ部および第２コネクタ部の内部構成を示す図である。
【図７】ワイヤハーネスのケーブル部に金属製の不正治具が差し込まれる不正行為の一例を示す図である。
【図８】ワイヤハーネスが備える第１導電性被覆層および第２導電性被覆層を切断する不正行為の一例を示す図である。
【図９】図６に示す検出部の内部回路を示す図である。
【図１０】図６に示す検出部の処理の流れを示すフローチャートである。
【図１１】図６に示す異常出力制御部の処理の流れを示すフローチャートである。
【発明を実施するための形態】
【００２２】
以下、本発明の実施形態について詳細に説明する。図１は、本実施形態のワイヤハーネスに対する不正行為（異常）を検出する異常検出システムの概略構成を示したブロック図である。
【００２３】
異常検出システム１は、遊技機（例えばパチンコ機）に接続されるワイヤハーネスの不正行為（異常）を管理するシステムであり、遊技店（ホール）に設置されるものである。異常検出システム１は、図１に示されるように、複数のワイヤハーネス１０と、複数の遊技機２０と、複数の台間機３０と、台間機管理装置４０と、台間機管理データベース５０と、遊技店管理装置６０と、遊技台管理データベース７０とを備えている。なお、図１では、ワイヤハーネス１０、遊技機２０および台間機３０のそれぞれは４つしか示されていないが、実際には４つよりも多数のワイヤハーネス１０、遊技機２０および台間機３０を有するものとする。
【００２４】
ワイヤハーネス１０は、一対の遊技機２０と台間機３０とを通信接続するためのものである。図２は、遊技機２０および台間機３０の裏面図である。図２に示されるように、ワイヤハーネス１０は、遊技機２０の裏面に設けられた遊技機側コネクタと台間機３０の裏面に設けられた台間機側コネクタとに差し込まれることにより通信接続する。ワイヤハーネス１０は、金属製の不正治具が差し込まれるなどの不正行為を検出する手段を備えている。そして、ワイヤハーネス１０は、不正行為を検出したときに、接続されている遊技機２０および台間機３０に対して異常通知を行う。もしくは、ワイヤハーネス１０は、不正行為を検出したときに遊技機２０および台間機３０に電源が供給されていない場合、異常があったことを記憶しておき、遊技機２０および台間機３０に電源が供給された後に当該遊技機２０および台間機３０に異常通知を行う。ワイヤハーネス１０の詳細については後述する。
【００２５】
台間機３０は、図３に示されるように、対応する遊技機２０に隣接して設置され、紙幣投入口３１およびカード挿入口３２を備えている。なお、図３は、遊技機２０および台間機３０の正面図である。台間機３０は、紙幣投入口３１に投入された紙幣の金銭価値情報や、カード挿入口３２に挿入されたカードに記録された金銭価値情報および持球情報を、ワイヤハーネス１０を介して遊技機２０に送る。これにより、遊技機２０が金銭価値情報や持球情報を表示し、遊技者がこれら情報を基に遊技を開始する。また、台間機３０は、投入された紙幣や対応する遊技機２０からワイヤハーネス１０を介して受けた更新指示に基づいて、カードに記録された金銭価値情報および持球情報の更新処理を行う。例えば、台間機３０は、紙幣投入口３１に投入された紙幣の金銭価値に基づいて、カードの金銭価値情報を更新する。また、遊技機２０において後述する球貸操作が実施された場合、台間機３０は、カードの金銭価値情報で示される金銭価値を減らす更新指示を受ける。また、遊技機２０において後述する球投入操作が実施された場合、台間機３０は、カードの持球情報で示される持球数を減らす更新指示を受ける。また、遊技機２０において後述する持球精算操作が実施された場合、台間機３０は、遊技機２０に残っている遊技可能な球数だけカードの持球情報を増やす更新指示を受ける。なお、台間機３０は、カードのＩＤ（カードＩＤ）と当該カードに記録された情報とを対応付けて台間機管理装置４０に送る。
【００２６】
また、台間機３０は、ワイヤハーネス１０から異常通知を受けると、ワイヤハーネス１０に異常があったことを示す異常通知情報を台間機管理装置４０に送る。
【００２７】
台間機管理装置４０は、異常検出システム１に含まれる全ての台間機３０を管理する装置である。台間機管理装置４０は、各台間機３０において発行したカードに記録された情報（金銭価値情報および待球情報）を、前記カードのカードＩＤと台間機３０のＩＤとを対応付けて台間機管理データベース５０に登録（記録）し、また、各台間機３０において情報が更新される度に、台間機管理データベース５０に登録した情報を更新することで、カードに記録された情報やカードの利用状況を管理している。また、台間機管理装置４０は、台間機３０から異常通知情報を受けると、当該台間機３０のＩＤと異常通知情報とを対応付けて記録するとともに、管理者に対して異常を通知するメッセージを表示する。これにより、遊技店（ホール）の管理者は、ワイヤハーネス１０に異常があったことを認識することができる。
【００２８】
遊技機２０は、内部に所定数の球を封入し、封入されている球（封入球）を循環利用する封入式パチンコ機である。遊技機は、遊技者の操作に応じて封入球を発射させる球発射回路を有している。遊技機２０は、台間機３０に投入された紙幣または台間機３０に挿入されたカードにより遊技を行うことができるように、遊技球ボタン２１、球投入ボタン２２および精算ボタン２３を有している。
【００２９】
遊技者は、遊技球ボタン２１を押すことにより、台間機３０に挿入されているカードに記録されている金銭価値情報に示される金銭価値の一部または全部を代償として、遊技可能な球数を増加する球貸操作を実行する。このとき、遊技機２０は、カードの金銭価値情報で示される金銭価値を減らす更新指示を、ワイヤハーネス１０を介して台間機３０に送信する。これにより、遊技者は、球貸操作により得た球数の遊技球を用いて遊技を行うことができる。
【００３０】
また、遊技者は、球投入ボタン２２を押すことにより、台間機３０に挿入されているカードに記録されている持球情報を代償として、遊技機２０で遊技可能な球数を増加させる球投入操作を実行する。このとき、遊技機２０は、カードの持球情報で示される持球数を減らす更新指示を、ワイヤハーネス１０を介して台間機３０に送信する。これにより、遊技者は、球投入操作により得た球数の遊技球を用いて遊技を行うことができる。
【００３１】
さらに、遊技者は、精算ボタン２３を押すことにより、遊技機２０に残っている遊技可能な球数だけカードに記録されている持球情報の球数に移行させる球数精算操作を実行できる。このとき、遊技機２０は、残っている遊技可能な球数だけカードの持球情報を増やす更新指示を、ワイヤハーネス１０を介して台間機３０に送信する。これにより、遊技者は、遊技終了時に残っている球数をカードに記録させ、当該カードを用いて、持球を景品に交換したり、次回の遊技の際に利用したりできる。
【００３２】
また、遊技機２０は、大当発生を示す情報，抽選開始を示す情報，出球数を示す情報，発射球数（排出球数）を示す情報を含む遊技状況情報を台番と対応付けて遊技店管理装置６０に送信する。
【００３３】
さらに、遊技機２０は、ワイヤハーネス１０から異常通知を受けると、遊技機２０の上方に設置された図示しないランプを点滅させてもよい。もしくは、遊技機２０は、ワイヤハーネス１０から異常通知を受けると、ワイヤハーネス１０に異常があったことを示す異常通知情報を遊技店管理装置６０に送信してもよい。
【００３４】
遊技店管理装置６０は、各遊技機２０から遊技状況情報を受け、店舗内全ての遊技機２０の遊技状況をリアルタイムで遊技台管理データベース７０に記録し、当該遊技状況を監視するものである。なお、遊技店管理装置６０は、遊技機２０から異常通知情報を受けた場合、管理者に対して異常を通知するメッセージを表示してもよい。
【００３５】
＜ワイヤハーネスの構成＞
次に、ワイヤハーネス１０の詳細について説明する。上述したように、ワイヤハーネス１０は、遊技機２０と台間機３０とを通信接続するためのものである。ワイヤハーネス１０により通信される情報の中には、金銭価値情報や持球情報、更新指示などが含まれる。そのため、ワイヤハーネス１０を許可なく細工して、これらの情報や指示を書き換え、金銭価値や持球を不正に得る行為が実施されると、遊技店に損害が発生する。このような不正行為としては、ワイヤハーネス１０に不正治具を挿入して内部のケーブルを引っ張り出し、ケーブル途中に不正用の回路を中継する行為などが考えられる。そこで、本実施形態では、ワイヤハーネス１０がこのような不正行為を検出し、異常通知を発するような構成を有している。その他の不正行為として、ワイヤハーネス１０における通信ケーブルの被覆層を切断し、通信ケーブルを剥き出しにして不正用の回路を接続する行為も考えられる。本実施形態では、この不正行為についても検出する。
【００３６】
図４は、本実施形態に係るワイヤハーネスの外観を示す図である。図４に示されるように、ワイヤハーネス１０は、複数本の通信ケーブルの束を有するケーブル部１１と、ケーブル部１１の一方の端に設けられた、遊技機２０のコネクタ（遊技機側コネクタ）と接続する第１コネクタ部１２と、ケーブル部１１の他方の端に設けられた、台間機３０のコネクタ（台間機側コネクタ）と接続する第２コネクタ部１３とを備えている。
【００３７】
ケーブル部１１が備える通信ケーブルは、各種の信号等を遊技機２０と台間機３０との間で通信するためのものである。本実施形態では、ケーブル部１１は、遊技機２０から台間機３０に交流電圧（ＡＣ２４Ｖ）を伝達（電力供給）するための通信ケーブルＰＳと、遊技機２０から台間機３０に正常に接続されているかを示す信号を伝えるための通信ケーブルＳＮＤと、台間機３０から遊技機２０に球発射回路で使用される電源電圧（１８Ｖ）を伝えるための通信ケーブルＹＧＫとを含む。
【００３８】
図５は、ケーブル部１１の内部を示す図であり、（ａ）は内部層を示す斜視図であり、（ｂ）はケーブル部１１の端面を示す図である。図５に示されるように、ケーブル部１１は、複数本の通信ケーブルの束（以下、ケーブル束）１１０と、当該ケーブル束１１０が内部に通された管状の内周チューブ１１１と、内周チューブ１１１の外周面に形成された第１導電性被覆層１１２と、第１導電性被覆層１１２の上に形成された第１絶縁チューブ１１３と、第１絶縁チューブ１１３の上に形成された第２導電性被覆層１１４と、第２導電性被覆層１１４を覆う外周チューブ１１９とを備えている。すなわち、ケーブル部１１は、ケーブル束１１０を覆う第１導電性被覆層１１２と、第１導電性被覆層１１２を覆う第２導電性被覆層１１４とを備えている。そして、第１絶縁チューブ１１３は、第１導電性被覆層１１２と第２導電性被覆層１１４との間の導通を遮断（絶縁）している。
【００３９】
図４に示されるように、ケーブル部１１の第１コネクタ部１２側の端部では、第１導電性被覆層１１２に接続された引出導線Ｖ１ａと第２導電性被覆層１１４に接続された引出導線Ｖ２ａとが第１コネクタ部１２の内部まで引出されている。同様に、ケーブル部１１の第２コネクタ部１３側の端部では、第１導電性被覆層１１２に接続された引出導線Ｖ１ｂと第２導電性被覆層１１４に接続された引出導線Ｖ２ｂとが第２コネクタ部１３の内部まで引出されている。
【００４０】
第１コネクタ部１２および第２コネクタ部１３は、ケーブル部１１が有する通信ケーブルの本数と同数の端子（または通信ケーブルの本数よりも多い端子）を有しており、各通信ケーブルが異なる端子に接続されている。
【００４１】
図６は、第１コネクタ部１２および第２コネクタ部１３の内部構成を示す図である。図６に示されるように、遊技機側コネクタ２４に接続される第１コネクタ部１２は、第１導電性被覆層１１２に接続された引出導線Ｖ１ａと第２導電性被覆層１１４に接続された引出導線Ｖ２ａとの間に配置された抵抗器１２１（抵抗値：Ｒ）を備えている。
【００４２】
また、台間機側コネクタ３４に接続される第２コネクタ部１３は、電源生成部１３１、検出部１３３、異常出力制御部１３７、ＳＮＤ用スイッチ１３８およびＹＧＫ用スイッチ１３９を備えている。
【００４３】
電源生成部１３１は、遊技機２０から台間機３０に向けて交流電圧（ＡＣ２４Ｖ）が流される通信ケーブルＰＳと接続されており、当該交流電圧を直流電圧Ｖｃｃに変換するための回路である。電源生成部１３１は、変換した直流電圧Ｖｃｃを検出部１３３に出力する。なお、本明細書において、ある対象物の電圧とは、当該対象物の電位とアース電位（０Ｖ）との電位差をいう。
【００４４】
検出部１３３は、ワイヤハーネス１０に対する不正行為（異常）として、第１導電性被覆層１１２と第２導電性被覆層１１４との短絡（ショート）による異常を検出するものである。具体的には、検出部１３３は、第２導電性被覆層１１４からの引出導線Ｖ２ｂに対して電源生成部１３１から受けた直流電圧Ｖｃｃを印加し、第１導電性被覆層１１２からの引出導線Ｖ１ｂの電圧（以下、検出用電圧という）を確認することで不正行為を検知する。上述したように、第１コネクタ部１２にて第１導電性被覆層１１２と第２導電性被覆層１１４とは抵抗器１２１を介して接続されている。そのため、ワイヤハーネス１０に対して不正が行われていない場合、第１導電性被覆層１１２からの引出導線Ｖ１ｂの検出用電圧は、直流電圧Ｖｃｃから抵抗器１２１による電圧降下の分だけ低い電圧を示す。
【００４５】
ここで、図７に示されるように、ワイヤハーネス１０に不正な細工を施すためにケーブル部１１に金属製の不正治具が差し込まれる不正行為が考えられる。しかしながら、このような不正行為が実施されると、第２導電性被覆層１１４と第１導電性被覆層１１２とが短絡（ショート）することとなり、第１導電性被覆層１１２からの引出導線Ｖ１ｂの検出用電圧は、第２導電性被覆層１１４と同じ電圧となる。そのため、検出用電圧を確認することで、図７に示されるような不正治具の差込による不正行為を検知することができる。
【００４６】
また、図８に示されるように、ワイヤハーネス１０の途中に不正回路を接続するために、ワイヤハーネス１０における通信ケーブルの被覆層を切断し、通信ケーブルを剥き出しにする不正行為が考えられる。この場合、第１導電性被覆層１１２と第２導電性被覆層１１４とは絶縁された状態となり、検出用電圧は０Ｖとなる。そのため、本実施形態の検出部１３３は、検出用電圧を確認することで、図８に示されるような切断による不正行為をも検知することができる。
【００４７】
図９は、検出部１３３の内部回路の詳細を示す図である。検出部１３３は、電源生成部１３１から受けた直流電圧Ｖｃｃを第２導電性被覆層１１４からの引出導線Ｖ２ｂに接続するための端子１３３０と、直流電圧Ｖｃｃを２／３Ｖｃｃに分圧して出力する第１抵抗分圧回路１３３１と、直流電圧Ｖｃｃを１／３Ｖｃｃに分圧して出力する第２抵抗分圧回路１３３２と、第１導電性被覆層１１２からの引出導線Ｖ１ｂとアース（グラウンド）との間に配置された抵抗器１３３３（抵抗値：Ｒ）と、第１電圧比較器１３３４と、第２電圧比較器１３３５とを備えている。
【００４８】
抵抗器１３３３は、第１コネクタ部１２に備えられる抵抗器１２１と同じ抵抗値Ｒを有する。そのため、第２導電性被覆層１１４、抵抗器１２１、第１導電性被覆層１１２および抵抗器１３３３は、第２導電性被覆層１１４に印加された直流電圧Ｖｃｃを１／２Ｖｃｃに分圧する分圧抵抗回路を構成することとなる。その結果、第２導電性被覆層１１４、抵抗器１２１、第１導電性被覆層１１２および抵抗器１３３３が正常に接続されている場合、第１導電性被覆層１１２は１／２Ｖｃｃの電圧を有する。
【００４９】
第１電圧比較器１３３４は、非反転入力端子（＋端子）の電圧値と反転入力端子（−端子）の電圧値とを比較し、比較結果に応じたショート信号を出力する。具体的には、第１電圧比較器１３３４は、＋端子の電圧値が−端子の電圧値よりも大きいときにｈｉｇｈのショート信号を出力し、それ以外のときにｌｏｗのショート信号を出力する。図９に示されるように、＋端子には第１導電性被覆層１１２からの引出導線Ｖ１ｂの検出用電圧が入力され、−端子には第１抵抗分圧回路１３３１の出力電圧（２／３Ｖｃｃ）が第１基準電圧として入力される。ワイヤハーネス１０に不正行為が行われていない場合、＋端子には１／２Ｖｃｃが入力されるため、ｌｏｗのショート信号が出力される。また、図８に示されるようにワイヤハーネス１０が切断された場合も、＋端子には０が入力されるため、ｌｏｗのショート信号が出力される。一方、図７に示されるようにワイヤハーネス１０に金属製の不正治具が差し込まれた場合、＋端子にはＶｃｃが入力されるため、ｈｉｇｈのショート信号が出力される。このように、第１電圧比較器１３３４は、図７に示されるような不正治具の差込による不正行為があった場合にのみｈｉｇｈのショート信号を出力する。
【００５０】
第２電圧比較器１３３５も、非反転入力端子（＋端子）の電圧値と反転入力端子（−端子）の電圧値とを比較し、比較結果に応じたオープン信号を出力する。具体的には、第２電圧比較器１３３５は、＋端子の電圧値が−端子の電圧値よりも大きいときにｈｉｇｈのオープン信号を出力し、それ以外のときにｌｏｗのオープン信号を出力する。図９に示されるように、−端子には第１導電性被覆層１１２からの引出導線Ｖ１ｂの検出用電圧が入力され、＋端子には第２抵抗分圧回路１３３２の出力電圧（１／３Ｖｃｃ）が第２基準電圧として入力される。ワイヤハーネス１０に不正行為が行われていない場合、−端子には１／２Ｖｃｃが入力されるため、ｌｏｗのオープン信号が出力される。また、図７に示されるようにワイヤハーネス１０に金属製の不正治具が差し込まれた場合も、−端子にはＶｃｃが入力されるため、ｌｏｗのオープン信号が出力される。一方、図８に示されるようにワイヤハーネス１０が切断された場合、−端子には０が入力されるため、ｈｉｇｈのオープン信号が出力される。このように、第２電圧比較器１３３５は、図８に示されるようなワイヤハーネス１０が切断された不正行為があった場合にｈｉｇｈのオープン信号を出力する。
【００５１】
図６に戻って、ＳＮＤ用スイッチ１３８は、通信ケーブルＳＮＤとコネクタ端子との接続の有無を切り替えるものである。また、ＹＧＫ用スイッチ１３９は、通信ケーブルＹＧＫとコネクタ端子との接続の有無を切り替えるものである。ＳＮＤ用スイッチ１３８およびＹＧＫ用スイッチ１３９は、異常出力制御部１３７からオン信号を受けると、通信ケーブルとコネクタ端子とを接続させ、異常出力制御部１３７からオフ信号を受けると、通信ケーブルとコネクタ端子との接続を遮断する。
【００５２】
異常出力制御部１３７は、第１電圧比較器１３３４と第２電圧比較器１３３５とに接続されており、いずれかからｈｉｇｈの信号を受けるとワイヤハーネス１０に対する不正行為があったものと判断し、異常通知の出力制御を行うものである。具体的には、異常出力制御部１３７は、いずれかからｈｉｇｈ信号を受けると、ＳＮＤ用スイッチ１３８およびＹＧＫ用スイッチ１３９に対してオフ信号を出力する。これにより、通信ケーブルＳＮＤおよび通信ケーブルＹＧＫによる通信が遮断される。そのため、台間機３０は、通信ケーブルＹＧＫを通して受信すべき信号が受信できなくなり、ワイヤハーネス１０で異常が発生したことを認識することができる。同様に、遊技機２０は、通信ケーブルＳＮＤを通して受信すべき信号が受信できなくなり、ワイヤハーネス１０で異常が発生したことを認識することができる。
【００５３】
＜検出部の処理フロー＞
次に、検出部１３３における処理の流れについて図１０を参照しながら説明する。
検出部１３３では、電源生成部１３１から受けた直流電圧Ｖｃｃが第２導電性被覆層１１４に印加された状態で、第１導電性被覆層１１２からの引出導線Ｖ１ｂの検出用電圧が、第１電圧比較器１３３４で電圧２／３Ｖｃｃと比較され、第２電圧比較器１３３５で電圧１／３Ｖｃｃと比較される。
【００５４】
ここで、上述したように、検出用電圧は、ワイヤハーネス１０に異常がない場合には１／２Ｖｃｃ、図７に示されるような不正治具の差込があった場合にはＶｃｃ、図８に示されるような切断があった場合には０となる。
【００５５】
検出用電圧が１／２Ｖｃｃである場合（Ｓ１でＹｅｓ）、第１電圧比較器１３３４は、＋端子の電圧（１／２Ｖｃｃ）が−端子の電圧（２／３Ｖｃｃ）よりも小さいため、ｌｏｗのショート信号を出力する。また、第２電圧比較器１３３５も、＋端子の電圧（１／３Ｖｃｃ）が−端子の電圧（１／２Ｖｃｃ）よりも小さいためｌｏｗのオープン信号を出力する（Ｓ２）。
【００５６】
また、検出用電圧がＶｃｃである場合（Ｓ３でＹｅｓ）、第１電圧比較器１３３４は、＋端子の電圧（Ｖｃｃ）が−端子の電圧（２／３Ｖｃｃ）よりも大きいため、ｈｉｇｈのショート信号を出力する。また、第２電圧比較器１３３５は、＋端子の電圧（１／３Ｖｃｃ）が−端子の電圧（Ｖｃｃ）よりも小さいためｌｏｗのオープン信号を出力する（Ｓ４）。
【００５７】
さらに、検出用電圧が０である場合（Ｓ３でＮｏ）、第１電圧比較器１３３４は、＋端子の電圧（０）が−端子の電圧２／３Ｖｃｃよりも小さいため、ｌｏｗのショート信号を出力する。また、第２電圧比較器１３３５は、−端子の電圧（０）が＋端子の電圧１／３Ｖｃｃよりも小さいためｈｉｇｈのオープン信号を出力する（Ｓ５）。
【００５８】
このように、ワイヤハーネス１０に異常がない場合には、ショート信号およびオープン信号のいずれもがｌｏｗとなるが、図７に示されるような不正治具の差込があった場合にはショート信号がｈｉｇｈとなり、図８に示されるように切断があった場合にはオープン信号がｈｉｇｈとなる。これにより、ショート信号およびオープン信号を確認することでワイヤハーネス１０への不正行為の有無を確認できる。
【００５９】
＜異常出力制御部の処理フロー＞
次に、異常出力制御部１３７の処理の流れについて図１１を参照しながら説明する。
まず、異常出力制御部１３７は、検出部１３３からのショート信号およびオープン信号とを取得する（Ｓ２１）。
【００６０】
次に、異常出力制御部１３７は、取得した２つの信号のうち少なくとも１つがｈｉｇｈであるか否かを確認する（Ｓ２２）。少なくとも１つがｈｉｇｈである場合（Ｓ２２でＹｅｓ）、ＳＮＤ用スイッチ１３８およびＹＧＫ用スイッチ１３９をオフにするオフ信号を出力する（Ｓ２３、Ｓ２４）。一方、全てがｌｏｗである場合（Ｓ２２でＮｏ）、ＳＮＤ用スイッチ１３８およびＹＧＫ用スイッチ１３９をオンにするオン信号を出力する（Ｓ２５、Ｓ２６）。
【００６１】
これにより、図７または図８に示す不正が行われている場合に、通信ケーブルＹＧＫおよび通信ケーブルＳＮＤが遮断される。これにより、台間機３０は、通信ケーブルＳＮＤを介して、正常に接続されているかを示す信号を遊技機２０から受信しなくなり、ワイヤハーネス１０における異常を認識することができる。同様に、遊技機２０は、通信ケーブルＹＧＫを介して、球発射回路で使用される電源電圧（１８Ｖ）を台間機３０から受信しなくなり、ワイヤハーネス１０における異常を認識することができる。
【００６２】
＜変形例＞
上記の説明では、第２導電性被覆層１１４に直流電圧Ｖｃｃを印加し、第１導電性被覆層１１２からの引出導線Ｖ１ｂを第１電圧比較器１３３４および第２電圧比較器１３３５に接続するものとした。しかしながら、第１導電性被覆層１１２に直流電圧Ｖｃｃを印加し、第２導電性被覆層１１４からの引出導線Ｖ２ｂの電圧を検出用電圧として第１電圧比較器１３３４および第２電圧比較器１３３５に入力してもよい。
【００６３】
また、電源生成部１３１は、遊技機２０から供給される交流電圧を用いて直流電圧Ｖｃｃを生成するものとしたが、台間機３０から供給される交流電圧を用いて直流電圧Ｖｃｃを生成してもよい。また、電源生成部１３１は、遊技機２０または台間機３０から供給される直流電圧を用いて直流電圧Ｖｃｃを出力してもよい。
【００６４】
また、上記の説明では、ワイヤハーネス１０が接続される外部機器が台間機３０および遊技機２０であるとした。しかしながら、ワイヤハーネス１０は、遊技機２０が備える２つの回路基板間を接続するものであってもよい。さらに、ワイヤハーネス１０が接続される外部機器は、これに限らず、情報通信を行う各種の電子機器であってもよい。
【００６５】
また、検出部１３３は、第２電圧比較器１３３５を備えていなくてもよい。この場合であっても、第１電圧比較器１３３４により、図７に示されるような不正行為を検出することができる。
【００６６】
また、上記の説明では、第１電圧比較器１３３４の−端子に入力される第１基準電圧を２／３Ｖｃｃとした。しかしながら、第１基準電圧としては、２／３Ｖｃｃに限定されるものではなく、第２導電性被覆層１１４に印加される直流電圧Ｖｃｃと、当該直流電圧Ｖｃｃから抵抗器１２１の電圧降下分だけ低い電圧１／２Ｖｃｃとの間の電圧が設定されていればよい。これにより、第１電圧比較器１３３４は、第１導電性被覆層１１２と第２導電性被覆層１１４とが短絡している場合にｈｉｇｈのショート信号を出力し、それ以外の場合にｌｏｗのショート信号を出力することができる。
【００６７】
同様に、第２電圧比較器１３３５の＋端子に入力される第２基準電圧を１／３Ｖｃｃとした。しかしながら、第２基準電圧としては、１／３Ｖｃｃに限定されるものではなく、第２導電性被覆層１１４に印加される直流電圧Ｖｃｃから抵抗器１２１の電圧降下分だけ低い電圧１／２Ｖｃｃよりも低い電圧が設定されていればよい。これにより、第２電圧比較器１３３５は、第１導電性被覆層１１２および第２導電性被覆層１１４の少なくとも一方が途中で切断している場合にｈｉｇｈのオープン信号を出力し、それ以外の場合にｌｏｗのオープン信号を出力することができる。
【００６８】
＜まとめ＞
以上のように、本実施形態のワイヤハーネス１０は、ケーブル束１１０と、ケーブル束１１０を覆う第１導電性被覆層１１２と、第１導電性被覆層１１２を覆う第２導電性被覆層１１４と、第１導電性被覆層１１２と第２導電性被覆層１１４との間に位置し、第１導電性被覆層１１２と第２導電性被覆層１１４とを絶縁するための第１絶縁チューブ（絶縁層）１１３と、ケーブル束１１０の一端に設けられ、第１導電性被覆層１１２と第２導電性被覆層１１４との間で直列接続されるように配置された抵抗器１２１を有する第１コネクタ部１２と、ケーブル束１１０の他端に設けられ、第１導電性被覆層１１２と第２導電性被覆層１１４との短絡による異常を検出する検出部１３３を有する第２コネクタ部１３とを備える。そして、検出部１３３は、第１導電性被覆層１１２および第２導電性被覆層１１４の一方に所定電圧Ｖｃｃを印加し、第１導電性被覆層１１２および第２導電性被覆層１１４の他方の電圧である検出用電圧に基づいて、短絡による異常を検出する。
【００６９】
これにより、図７に示されるような金属製の不正治具の差込等による不正行為を検出することができる。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７１】
なお、上記した各実施形態における検出部１３３および異常出力制御部１３７は、ＣＰＵ（Central Processing Unit）などの演算手段が、ＲＯＭ（Read Only Memory）やＲＡＭ（Random Access Memory）などの記憶手段に記憶されたプログラムを実行することにより実現してもよい。したがって、これらの手段を有するコンピュータが、上記プログラムを記録した記録媒体を読み取り、当該プログラムを実行するだけで、本実施形態のワイヤハーネス１０の不正行為の検出機能を実現することができる。また、上記プログラムをリムーバブルな記録媒体に記録することにより、任意のコンピュータ上で上記の各種機能および各種処理を実現することができる。
【００７２】
この記録媒体としては、マイクロコンピュータで処理を行うために図示しないメモリ、例えばＲＯＭのようなものがプログラムメディアであっても良いし、また、図示していないが外部記憶装置としてプログラム読み取り装置が設けられ、そこに記録媒体を挿入することにより読み取り可能なプログラムメディアであっても良い。
【００７３】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【００７４】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【００７５】
また、インターネットを含む通信ネットワークを接続可能なシステム構成であれば、通信ネットワークからプログラムをダウンロードするように流動的にプログラムを担持する記録媒体であることが好ましい。
【００７６】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【００７７】
本発明は、パチンコ遊技機や台間機などの電子機器に接続されるワイヤハーネスに適用することができる。
【符号の説明】
【００７８】
１  異常検出システム
１０  ワイヤハーネス
１１  ケーブル部
１２  第１コネクタ部
１３  第２コネクタ部
２０  遊技機（外部機器）
３０  台間機（外部機器）
３４  台間機側コネクタ（外部機器側コネクタ）
１１０  ケーブル束（通信ケーブルの束）
１１２  第１導電性被覆層
１１３  第１絶縁チューブ（絶縁層）
１１４  第２導電性被覆層
１２１  抵抗器
１３１  電源生成部
１３３  検出部
１３７  異常出力制御部
Ｖ１ａ，Ｖ１ｂ、Ｖ２ａ，Ｖ２ｂ  引出導線
ＰＳ，ＳＤＮ、ＹＧＫ  通信ケーブル
【図１】
0005891922.tif 000002
【図２】
0005891922.tif 000003
【図３】
0005891922.tif 000004
【図４】
0005891922.tif 000005
【図５】
0005891922.tif 000006
【図６】
0005891922.tif 000007
【図７】
0005891922.tif 000008
【図８】
0005891922.tif 000009
【図９】
0005891922.tif 000010
【図１０】
0005891922.tif 000011
【図１１】
0005891922.tif 000012